(57)【要約】【課題】従来よりも適確に撮影失敗を回避する。【解決手段】カメラの状態を設定するパラメータと撮影に関する各種機能の情報に基づき撮影の成功か失敗かをデータベース化する。前記データベースと撮影時の判定条件に基づいて使用者に対し表示部等を用いて警告をし、警告に対し使用者が簡単な操作を行うことで撮像装置が各種パラメータを変更する。これにより撮影の失敗を大幅に回避することができる。【選択図】図６
2008011519.tif 000002
【特許請求の範囲】
【請求項１】
被写体を撮影するカメラ部と、
前記撮影に関する各種機能を設定したカメラ機能テーブルを記憶する記憶部と、
前記カメラの状態を設定するパラメータを取得するパラメータ取得部と、
前記撮影が行われた場合に前記カメラ機能テーブルと前記パラメータに基づき該撮影が失敗したかどうか判定し、失敗したと判定した場合には該失敗したことをデータベースとして前記記憶部に記憶させる制御部と、
を備えることを特徴とする撮像装置。
【請求項２】
前記記憶部は、前記撮影時に使用者に対する警告をするための判定条件を記憶し、前記撮影に失敗した場合には、前記パラメータが前記記憶した判定条件にない場合には新たに判定条件を記憶することを特徴とする請求項１に記載の撮像装置。
【請求項３】
前記パラメータと前記判定条件に基づいて撮影の失敗について前記制御部が行う警告に対する対応を入力する操作部とを備え、
前記制御部は、前記操作部の操作に基づき前記パラメータを変更する、
ことを特徴とする請求項２に記載の撮像装置。
【請求項４】
前記制御部は、前記操作部に対する1回の操作で前記パラメータを変更する、
ことを特徴とする請求項３に記載の撮像装置。
【請求項５】
請求項１〜４の何れかに記載の撮像装置を備えることを特徴とする携帯端末装置。
【発明の詳細な説明】
【技術分野】
【０００１】
本発明は、撮像装置及び撮像装置を備える携帯端末装置に関する。
【背景技術】
【０００２】
例えば、下記特許文献１には、撮影が失敗したときのカメラ制御情報（フラッシュの使用／不使用、色合い調整、手ブレ補正のＯＮ／ＯＦＦ等、撮影の際にカメラの各種制御状態を規定する情報）と、この失敗の改善方法とを、データベースに登録しておき、実際の撮影に際して、設定されたカメラ制御情報が、データベースに登録されたカメラ制御情報と一致する場合に、当該カメラ制御情報に対応する改善方法を、使用者に提示する技術が開示されている。このような従来技術によれば、撮影の失敗を効果的に回避することができる。
【特許文献１】特開２００４−１２８７０１号公報
【発明の開示】
【発明が解決しようとする課題】
【０００３】
しかしながら、上記従来技術は、実際の撮影に際して設定されたカメラ制御情報が、データベースに予め登録されたカメラ制御情報、即ち、過去に撮影に失敗したときのカメラ制御情報と一致する場合にのみ、使用者に改善方法を提示する。このため、データベースに登録されていないカメラ制御情報に基づいて撮影を行うときには、改善方法は提示されない。したがって、改善方法の提示によって撮影失敗を回避する上で、改善の余地がある。
【０００４】
本発明は、上述した事情に鑑みてなされたもので、従来よりも適確に撮影失敗を回避することを目的とする。
【課題を解決するための手段】
【０００５】
上記課題を解決するための本発明にかかる撮像装置は、被写体を撮影するカメラ部と、
前記撮影に関する各種機能を設定したカメラ機能テーブルを記憶する記憶部と、前記カメラの状態を設定するパラメータを取得するパラメータ取得部と、前記撮影が行われた場合に前記カメラ機能テーブルと前記パラメータに基づき該撮影が失敗したかどうか判定し、失敗したと判定した場合には該失敗したことをデータベースとして前記記憶部に記憶させる制御部とを備えることを特徴とする。
【０００６】
また、上記撮像装置において、前記記憶部は、前記撮影時に使用者に対する警告をするための判定条件を記憶し、前記撮影に失敗した場合には、前記パラメータが前記記憶した判定条件にない場合には新たに判定条件を記憶することを特徴とする。
【０００７】
さらに、前記パラメータと前記判定条件に基づいて撮影の失敗について前記制御部が行う警告に対する対応を入力する操作部とを備え、前記制御部は、前記操作部の操作に基づき前記パラメータを変更することを特徴とする。
【０００８】
そして、前記制御部は、前記操作部に対する1回の操作で前記パラメータを変更することを特徴とする。
【０００９】
また、本発明の携帯端末装置は、上記いずれかの撮像装置を備えることを特徴とする。
【発明の効果】
【００１０】
本発明によれば、カメラの状態を設定するパラメータと撮影に関する各種機能の情報に基づき撮影の成功か失敗かをデータベース化することができるので撮影失敗を回避することができる。また、前記データベースと撮影時の判定条件に基づく警告に対し使用者が簡単な操作を行うことで撮像装置が各種パラメータを変更するので撮影の失敗を回避することができる。
【発明を実施するための最良の形態】
【００１１】
以下、本発明の撮像装置の一実施形態である携帯電話機について図面を参照して説明する。図１は、本実施形態における携帯電話機の機能構成を示すブロック図である。
【００１２】
携帯電話機は、操作部１、液晶表示板２、表示制御部３、電話機能部４、カメラ部５、記憶部６（記憶手段）、制御部７（警報手段）及びバッテリー８を備えている。液晶表示板２及び表示制御部３は、本実施形態における報知手段を構成している。
【００１３】
操作部１は、使用者が操作可能な操作キーを備えており、操作キーにより使用者からの各種操作を受け付け、使用者の操作内容に応じた信号を制御部７へ出力する。
【００１４】
液晶表示板２は、携帯電話機の筐体に設けられており、表示制御部３から入力される画像信号に基づいて、各種画像を表示する。表示制御部３は、制御部７による制御の下に、液晶表示板２に表示すべき画像の画像信号を生成して、液晶表示板２に出力する。
【００１５】
電話機能部４は、マイク４ａや、スピーカ４ｂ（発音手段）、図示しない無線通信部等から構成され、制御部７による制御の下に、基地局と、通話等に係わる通信を行う。
【００１６】
カメラ部５は、例えば、ＣＣＤ等の撮像素子やレンズ等の光学系、画像処理プロセッサ、及び光量センサ５ａ等から構成され、制御部７による制御の下に、被写体の画像（静止画及び動画）を撮影する。動画撮影にあたっては、制御部７は、電話機能部４が備えるマイク４ａにより集音を行う。光量センサ５ａは、カメラ部５のレンズが受ける光量を測定し、制御部７の制御に応じて、測定データを制御部７に出力する。
【００１７】
また、制御部７は、予め設定されているか又は使用者の操作により設定される各種パラメータの値に基づいて、カメラ部５における露出やシャッタ速度等の動作状態を設定する。各種パラメータの値は、後述する記憶部６に記憶されている。また、各種パラメータは、記憶部６に記憶されている各種機能（図２に示す）に対応する。
【００１８】
記憶部６は、ＲＯＭ（Read Only Memory）、ＲＡＭ（Random Access Memory）及び不揮発性メモリから構成され、制御部７が実行する通話プログラムやメールプログラム、カメラプログラム、ブラウザ等の各種プログラムや、着信音データ、電話帳データ、送受信メール、画像データ等を記憶する。
【００１９】
また、記憶部６は、上記カメラ部５の制御に必要な情報として、カメラ機能テーブル、注意機能テーブル（図３参照）及び注意機能設定テーブル（図４参照）を記憶している。
【００２０】
カメラ機能テーブルは、撮影に関する各種機能（図２参照）毎にその設定状態を登録したものである。
【００２１】
注意機能テーブルは、被写体の撮影時に使用者に提供する警報に関する情報が登録されたものであり、各種注意機能を示す注意項目名毎に、注意の報知を行うか否かを判定するための注意判定条件（トリガー及び条件）、注意の方法及び具体的な注意メッセージの内容が登録されたものである。
【００２２】
注意機能設定テーブルは、上記注意項目名毎に、注意機能の使用／不使用を示す設定情報（機能使用フラグ）と撮影の失敗に関する学習機能のＯＮ／ＯＦＦを示す設定情報（失敗学習フラグ）とが登録されたものである。なお、記憶部６は、制御部７による制御の下に、上記学習機能の一環として撮影失敗事例をデータベース化して順次記憶する。
【００２３】
そして、記憶部６は、使用者情報を１又は複数記憶し、使用者情報を複数記憶している場合には、「注意機能設定テーブル」（図４）の設定値を、使用者情報別に記憶し、使用者毎に別の設定値を用いることを可能としている。
【００２４】
制御部７は、操作部１から入力される操作指示、記憶部６に記憶された制御プログラム及び各種制御パラメータに基づいて、本携帯電話機全体の動作を制御する。即ち、制御部７は、上記制御プログラム、操作指示及び各種制御パラメータに基づいて制御演算を行うＣＰＵ（Central Processing Unit）及び他の各部（つまり操作部１、表示制御部３、電話機能部４、カメラ部５及び記憶部６）とのデータ授受を行う各種入出力インタフェース回路等から構成されており、上記他の各部を統括的に制御する。
【００２５】
制御部７は、カメラプログラムの一機能として、カメラ部５の制御に関する各テーブルや他の各部の状態を参照すると共に、カメラ部５が撮影した被写体の画像に所定の画像処理を施して被写体やその周囲の状況を判定することによりカメラ部５による被写体の撮影失敗の有無を予測・判定し、撮影失敗が予測される場合には使用者に注意を促すための警報信号を表示制御部３或いは／及びスピーカ４ｂに出力する。
【００２６】
また、制御部７は、カメラ部５が撮影した使用者の画像を記憶部６に予め記憶（登録）された使用者の画像（使用者登録画像）と比較することにより、使用者が予め登録された使用者か否かを判定する。
【００２７】
ここで、制御部７は、本実施形態における選択手段であって、使用者が予め登録された使用者であれば、当該使用者に合致する使用者情報に応じた「注意機能設定テーブル」（図４）の設定値をカメラ部５の制御にあたって用いる。
【００２８】
バッテリー８は、上記各部（つまり操作部１、液晶表示板２、表示制御部３、電話機能部４、カメラ部５、記憶部６及び制御部７）と図示しない給電ラインによって接続されており、上記各部に電力を供給する。バッテリー８の残り電力は、制御部７によって把握されている。
【００２９】
次に、上記構成の携帯電話機における撮影時の警報処理（図５のフローチャートに示す）について説明する。
【００３０】
制御部７は、注意機能設定テーブル（図４参照）において機能使用フラグが「ＯＮ」に設定されている注意項目名を判断し（ステップＳ１）、この注意項目名のみについて警報処理を行う。すなわち、制御部７は、注意機能設定テーブルにおいて機能使用フラグが「ＯＮ」に設定されている注意項目名について、図３の注意機能テーブルのトリガー欄の事象を認識したとき（ステップＳ２のＹｅｓ）、注意機能設定テーブルの条件欄の注意判定条件を満足するか否かを判定し（ステップＳ３）、ステップＳ３の条件を満足する場合には、警報信号を生成して表示制御部３或いは／及びスピーカ４ｂに出力する（ステップＳ４）。
【００３１】
例えば、図４の注意機能設定テーブルでは、赤目注意機能の機能使用フラグが「ＯＮ」に設定されているので、制御部７は、注意機能テーブルにおいて、上記赤目注意機能に対応するトリガー欄の事象（人の顔を認識したか、及び被写体画像の光量が所定値以下か）を認識したとき、条件欄の注意判定条件（フラッシュが発光禁止、オート（赤目軽減）及び常時発光（赤目軽減）以外の設定になっているか）を判定する。
【００３２】
そして、図３の注意機能テーブルにおいて、上記赤目注意機能に対応する注意の方法には、「表示・音声」と登録されているので、制御部７は、注意メッセージの内容に登録された「赤目軽減機能がＯＦＦになっています。ＯＮにしますか？」という表示用テロップのデータ及び音声メッセージの音声信号を生成し、表示用テロップのデータを警報信号として表示制御部３に出力する一方、音声メッセージの音声信号を警報信号としてスピーカ４ｂに出力する。この結果、表示制御部３は、表示用テロップのデータに基づいて表示用テロップ用の画像信号を生成して液晶表示板２に出力する（図６参照）。また、スピーカ４ｂは、音声メッセージの音声信号に基づいた音声を発音する。
【００３３】
本携帯電話機の使用者は、このような液晶表示板２の警報表示やスピーカ４ｂの警報音声によって注意が喚起される。使用者が、上記テロップに対して回答する操作を操作部１により行うと、操作部１は使用者の操作内容に応じた信号を制御部７へ出力する。使用者の操作が、図６の画面において「ＹＥＳ」を選択するものであった場合、制御部７は、操作部１から入力された信号に基づいて、カメラ機能テーブルにおけるフラッシュ機能の設定を「オート（赤目軽減）」にすると共に、赤目補正機能の設定を「自動補正する」に変更する。
【００３４】
また、例えば、図４の注意機能設定テーブルにおいて、撮影サイズ推薦機能の機能使用フラグが「ＯＮ」に設定されている場合、制御部７は、注意機能テーブルにおいて、上記赤目注意機能に対応するトリガー欄の事象（メモリ残量が２０％以下である）を認識したとき、条件欄の注意判定条件（撮像サイズが大（2592×1944）であるか）を判定する。
【００３５】
そして、撮像サイズが大であれば、図３の注意機能テーブルにおいて、上記撮影サイズ推薦機能に対応する注意の方法には、「表示のみ」と登録されているので、制御部７は、注意メッセージの内容に登録された「メモリ残量が少なくなっています。撮像サイズを小さくしますか？」という表示用テロップのデータを生成し、表示用テロップのデータを警報信号として表示制御部３に出力する。この結果、表示制御部３は、表示用テロップのデータに基づいて表示用テロップ用の画像信号を生成して液晶表示板２に出力する。
【００３６】
本携帯電話機の使用者は、このような液晶表示板２の警報表示によって注意が喚起される。使用者が、上記テロップに対して回答する操作を操作部１により行うと、操作部１は使用者の選択操作の内容に応じた信号を制御部７へ出力する。使用者の操作が「ＹＥＳ」を選択するものであった場合、制御部７は、操作部１から入力された信号に基づいて、カメラ機能テーブルにおける撮像サイズの設定を「小（640×480）」に変更する。
【００３７】
携帯電話機においては、一般に、撮影に関する各種機能の設定を変更する画面は、液晶表示板２に表示される各種メニューの階層を次々と辿った先にあるので、設定を変更するための操作の手数が多く、設定変更を煩雑なものにしているが、本実施形態によれば、使用者は、テロップに回答する操作を行うだけで、容易に撮影状況に応じた設定に変更することができる。
【００３８】
また、制御部７は、図４の注意機能設定テーブルの一括設定機能の機能使用フラグが「ＯＮ」に設定されているときには、注意機能テーブルに登録された全ての注意機能を使用すると判断し、「ＯＦＦ」に設定されているときには、注意機能テーブルに登録された全ての注意機能を不使用と判断する。
【００３９】
更に、制御部７は、上記一括設定機能の機能使用フラグが、「ＯＦＦ」に設定されているとき、カメラプログラム起動時に、表示制御部３を制御して、図７に示すように、液晶表示板２に、一括設定を行うか否かを使用者に確認するテロップを表示させる。
【００４０】
使用者が、上記テロップに対して回答する操作を操作部１により行うと、操作部１は使用者の操作内容に応じた信号を制御部７へ出力する。使用者の操作が、図７において「ＹＥＳ」を選択するものであった場合、制御部７は、操作部１から入力された信号に基づいて、注意機能設定テーブルにおける一括設定機能の機能使用フラグを「ＯＮ」に変更する。
【００４１】
更に、制御部７は、図４の注意機能設定テーブルの撮影前設定確認機能の機能使用フラグが「ＯＮ」に設定されているときには、カメラプログラム起動時に、表示制御部３を制御して、図８に示すように、液晶表示板２に、撮影に関する各種機能の設定の状態（例えば、撮影モード設定や撮影サイズ設定、フラッシュの使用／不使用等）を、使用者に確認する現在設定確認画面を表示させる。
【００４２】
使用者は、現在設定確認画面にて、設定を変更すべき項目があった場合には、操作部１を操作することにより、その項目を選択する。例えば、図８に示すように、「日付／時計」が現在「未設定」であって、日付及び時刻を設定しようとする場合には、「未設定」を選択し、次に表示される図示しない設定画面において、日付及び時刻を設定する。
【００４３】
図９は、撮影失敗事例を自動的に蓄積する処理の流れを示すフローチャートである。
【００４４】
制御部７は、撮影した画像に、人の顔が含まれているか否かを判定する（ステップＳ１１）。撮影画像に人の顔が含まれていると判定した場合には（ステップＳ１１のＹｅｓ）、制御部７は、光量が所定値以下であったか否かを判定する（ステップＳ１２）。光量が所定値以下であった場合には（ステップＳ１２のＹｅｓ）、制御部７は、フラッシュ機能設定が「発光禁止」、「オート（赤目軽減）」及び「常時発光（赤目軽減）」以外であったかを判定する（ステップＳ１３）。フラッシュ機能設定が上記以外であった場合には（ステップＳ１３のＹｅｓ）、制御部７は、恐らくフラッシュ機能設定が上記以外であったことにより赤目現象が発生して撮影に失敗したであろうことを、記憶部６のデータベースに自動登録する（ステップＳ１４）。
【００４５】
また、制御部７は、撮影画像に、手ブレの影響が現れているか否かを判定する（ステップＳ１５）。手ブレの影響が現れていると判定した場合には（ステップＳ１５のＹｅｓ）、制御部７は、手ブレ補正機能設定が「補正しない」であったかを判定する（ステップＳ１６）。手ブレ補正機能設定が「補正しない」であった場合には（ステップＳ１６のＹｅｓ）、制御部７は、恐らく手ブレ補正機能設定が「補正しない」であったことにより手ブレが発生して撮影に失敗したであろうことを、記憶部６のデータベースに自動登録する（ステップＳ１７）。
【００４６】
更に、制御部７は、撮影画像に、被写体が動いていた影響が現れているか否かを判定する（ステップＳ１８）。被写体が動いていた影響が現れていると判断した場合には（ステップＳ１８のＹｅｓ）、制御部７は、ＩＳＯ感度設定が高感度設定でないかを判定する（ステップＳ１９）。ＩＳＯ感度設定が高感度設定でない場合には（ステップＳ１９のＹｅｓ）、制御部７は、恐らくＩＳＯ感度設定が高感度設定でないことにより被写体ブレが発生して撮影に失敗したであろうことをデータベースに自動登録する（ステップＳ２０）。
【００４７】
そして、制御部７は、撮影時にフラッシュ機能を不使用であったか否かを判定する（ステップＳ２１）。撮影時にフラッシュ機能を不使用であった場合には（ステップＳ２１のＹｅｓ）、制御部７は、光量が所定値以下であったか否かを判定する（ステップＳ２２）。光量が所定値以下であった場合には（ステップＳ２２のＹｅｓ）、制御部７は、恐らく光量不適切により撮影に失敗したであろうことをデータベースに自動登録する（ステップＳ２３）。
【００４８】
制御部７は、記憶部６に記憶したデータベースに基づき、注意機能テーブル（図３参照）にない撮影失敗事例を注意機能テーブルに追加する。また、制御部７は、撮影失敗事例に合致する注意機能設定テーブル（図４参照）の失敗学習フラグがＯＦＦであった場合、この失敗学習フラグをＯＮに切り替える更新を行う。
【００４９】
本実施形態によれば、使用者は、撮影状況に応じて撮影失敗を回避することができる設定を提示し意向を問う質問に対して回答することによって、撮影状況に応じて撮影失敗を回避する設定に変更することができる。
【００５０】
なお、本実施形態では、警報報知にあたって、スピーカ４ｂから音声を発音させる場合、液晶表示板２に表示させる文を読み上げるようにしているが、実施にあたっては、スピーカ４ｂに警告音を発音させるようにしてもよい。
【００５１】
また、本実施形態では、使用者は、本携帯電話機による警報報知に対して、操作部１を操作することにより回答するように説明したが、実施にあたっては、他の手段によって回答してもよく、例えば、使用者は本携帯電話機が備えるマイク４ａに向かって音声にて回答し、マイク４ａが集音した音声に応じた信号を制御部７に出力し、制御部７が信号を解析することにより回答を受け付けるようにしてもよい。
【００５２】
更に、本実施形態では、カメラ部５で取得した画像を分析することにより使用者を識別する生体認証を行っているが、実施にあたっては、例えば指紋認証等、他の生体認証によって使用者を識別してもよい。
【００５３】
そして、本実施形態では、携帯電話機を例にあげて撮像装置を説明したが、実施にあたっては、携帯電話機である撮像装置に限らず、例えばデジタルカメラ等に本発明を適用してもよい。
【図面の簡単な説明】
【００５４】
【図１】本発明の一実施形態における携帯電話機の機能構成を示すブロック図である。
【図２】本発明の一実施形態における携帯電話機の記憶部が記憶する各種機能を示す表である。
【図３】本発明の一実施形態における携帯電話機の記憶部が記憶する「注意機能テーブル」を示す表である。
【図４】本発明の一実施形態における携帯電話機の記憶部が記憶する「注意機能設定テーブル」を示す表である。
【図５】本発明の一実施形態における携帯電話機の撮影時の警報処理の流れを示すフローチャートである。
【図６】本発明の一実施形態における携帯電話機の表示例を示す模式図である。
【図７】本発明の一実施形態における携帯電話機の表示例を示す模式図である。
【図８】本発明の一実施形態における携帯電話機の表示例を示す模式図である。
【図９】本発明の一実施形態における携帯電話機の撮影失敗事例を自動的に蓄積する処理の流れを示すフローチャートである。
【符号の説明】
【００５５】
１…操作部、  ２…液晶表示板、  ３…表示制御部、  ４…電話機能部、  ４ａ…マイク、  ４ｂ…スピーカ、  ５…カメラ部、  ５ａ…光量センサ、  ６…記憶部、  ７…制御部、  ８…バッテリー
【図１】
2008011519.tif 000003
【図２】
2008011519.tif 000004
【図３】
2008011519.tif 000005
【図４】
2008011519.tif 000006
【図５】
2008011519.tif 000007
【図６】
2008011519.tif 000008
【図７】
2008011519.tif 000009
【図８】
2008011519.tif 000010
【図９】
2008011519.tif 000011